(57)【要約】　　　（修正有）【課題】宣伝や広告やＰＲなどの、情報提供の効果を実時間で定量的に測定することを可能にし、宣伝広告やＰＲを行うメディア・タイミング・場所などの情報提供方法、さらに情報提供の表現手段（コピーライト・キャラクター）などの効果測定をフィードバックすることによって企業などの情報提供者が、より費用対効果の高い情報提供方法、表現手段を選択することが出来るような情報処理システムを提供する。【解決手段】消費者が所持する情報端末に情報取得手段を設ける。さらに情報提供手段に、消費者が所持する情報端末との情報交換手段を設ける。情報提供装置から、消費者が所持する情報端末が情報を取得する度に、情報提供手段がその情報提供回数をカウントし、提供装置に備えられた記憶装置に記憶する。【選択図】図２
2004086715.tif 000002
【特許請求の範囲】
【請求項１】
情報提供装置と、情報提供装置から情報を取得する手段を備える情報端末と、情報端末が情報提供装置から取得した情報をもとに接続する情報処理装置とで構成され、前記情報処理装置に接続してきた情報端末の属性情報を取得することを特徴とする情報処理システム。
【請求項２】
請求項１の発明において、情報提供装置から情報を取得する手段が、近距離無線通信インターフェイスを有する情報提供装置と近距離無線通信インターフェイスを有する情報端末の交信によるものである事を特徴とした情報処理システム。
【請求項３】
請求項１の発明において、情報提供装置から情報を取得する手段が、画像による情報表示手段を持つ情報提供装置と、撮像手段を有する情報端末と前記撮像した画像を情報処理し画像から情報を抽出する手段を組み合わせたものである事を特徴とした情報処理システム。
【請求項４】
請求項１から請求項３の発明に記載された情報提供装置であって、情報端末に情報を提供した回数を測定することが可能であることを特徴とする情報提供装置。
【請求項５】
請求項１から請求項３の発明に記載された情報提供装置であって、情報端末に情報を提供した回数を測定し、且つ情報提供効果を測定及び／又は比較できる事を特徴とした情報提供装置。
【請求項６】
請求項１から請求項３の発明に記載された情報処理システムであって、情報提供装置から情報端末に情報を提供した回数を測定し、且つ情報提供効果を測定及び／又は比較できる事を特徴とした情報処理システム。
【請求項７】
請求項１から請求項６の発明に記載された情報提供装置であって、情報端末に提供する情報に、当該情報提供装置の識別情報を付加する事を特徴とした情報提供装置。
【請求項８】
請求項１及び請求項７の発明において、前記情報処理装置が取得する属性情報に前記情報端末が情報を取得した情報提供装置の識別情報を含む事を特徴とした情報処理システム。
【請求項９】
請求項８の発明において、取得した識別情報を記憶し比較することによって、情報提供の効果を測定できる事を特徴とする情報処理システム。
【請求項１０】
請求項１および請求項２及び請求項３及び請求項６の発明において、前記情報処理装置が取得する属性情報に前記情報端末の識別情報を含む事を特徴とした情報処理システム。
【請求項１１】
請求項１および請求項２及び請求項３及び請求項６の発明において、前記情報処理装置が取得する属性情報に前記情報端末の所持者に関わる個人情報を含む事を特徴とした情報処理システム。
【請求項１２】
情報端末用の情報処理手段と、前記情報端末用の情報処理手段を実行する手段を有する情報端末で構成され、前記情報端末が前記情報端末用の情報処理手段によって自動的に情報処理を実行することを特徴とする情報処理方法。
【請求項１３】
請求項１２の発明において、当該情報端末が、プログラム実行手段を有する他の情報端末に、当該プログラムを転送することを特徴とする情報処理システム。
【請求項１４】
請求項１２から請求項１３の発明において、情報処理装置及び情報端末がネットワークに接続手段を有し、情報端末がネットワーク経由で情報処理装置からプログラムを取得する事を特徴とする情報処理システム。
【請求項１５】
請求項１２から請求項１４の発明において予めプログラムに記述された機能が、ネットワーク上の情報処理装置への接続であることを特徴とする情報提供方法。
【請求項１６】
請求項１および請求項２及び請求項３及び請求項６及び請求項１２から請求項１５の発明において、前記情報処理装置が取得する属性情報に前記情報端末が情報を取得した経路情報を含む事を特徴とした情報処理システム。
【請求項１７】
請求項１および請求項２及び請求項３及び請求項６及び請求項１２から請求項１６の発明において、取得した個人情報及び／又は情報端末が情報を取得した経路情報を記憶し処理することによって、情報提供の結果をマーケティングデーターとして活用する事を特徴とする情報処理システム。
【請求項１８】
情報端末用の情報処理手段と、前記情報端末用の情報処理手段を実行する手段を有する情報端末で構成され、前記情報端末が前記情報端末用の情報処理手段によって自動的に情報処理を実行することを特徴とする情報端末。
【発明の詳細な説明】
【０００１】
【発明が属する技術分野】
宣伝や広告やＰＲなどをはじめとする、様々な情報提供及び情報伝達と、情報提供の効果測定方法及び情報伝達の測定方法に関わる発明である。
【従来の技術】
【０００２】（ア）従来宣伝広告やＰＲなどの情報提供の表現手法は、情報提供をする企業と、企業から委託された広告制作者が、様々な表現手段の可能性から最も効果的と思われるものを創作し選択して、消費者に訴求するというものであった。
【０００３】（イ）さらに制作した従来宣伝広告やＰＲなどの情報提供を実際に行う手段としては、ＴＶや印刷物や、街頭や駅の広告パネル、電車やバスなどの車内で行っていた。これらの提供メディア・提供タイミング・提供場所などの選択は通常、広告を専門に行う広告代理店などが確保し、企業などが情報を提供したい対象に最も訴求効果のある情報提供手段を推奨することによって決定されていた事が多かった。この際宣伝広告を実際に行うメディアの価格は受給の状況などにより提供側が決定する事が多かった。
【０００４】（ウ）また、一部では宣伝広告を行った後に、その効果を測定するために、広告の浸透度や内容や方法に関する消費者アンケートを行う方法も行われている。
【０００５】（エ）消費者同士の口コミは、非常に費用対効果が高く、企業や商品のブランドエクイティ（企業や商品の認知度や消費者イメージの形を取った企業資産）にも大きな影響を及ぼすと言われ、口コミを活用するための方法が模索されている。
【０００６】（オ）一方、宣伝広告などに限らず、広義の情報伝達に関して近年ミームという概念があちこちで言及されている。
ミームは「文化的な遺伝子」という意味の造語であり、Ｏｘｆｏｒｄ大学の生物学者リチャード・ドーキンス（Ｒｉｃｈａｒｄ　Ｄａｗｋｉｎｓ）が彼の著書「利己的な遺伝子（Ｔｈｅ　Ｓｅｌｆｉｓｈ　Ｇｅｎｅ）　、１９７６」で提唱した言葉である。
【０００７】ドーキンスによるミームの生物学的定義では、「ミームは文化の伝達や複製の基本単位である。」この定義からすると、私たちの文化と呼ぶものはすべての原子のようなミームからできており、そのミームが互いに競合していることになる。遺伝子が人から人へと広まってゆくのと同じようにして、ミームは心から心へと移り広がってゆく。競争に勝ったミーム、すなわちもっとも多くの心に入り込むことに成功したミームは、今日の文化を形成する活動や創造に大きく関与する（一部ｈｔｔｐ：／／ｗｗｗ．ｇｅｏｃｉｔｉｅｓ．ｃｏ．ｊｐ／ＨｅａｒｔＬａｎｄ／２９８９／ｍｅｍｅ１．ｈｔｍｌの記載を参考に記述した）。
【０００８】ミーム「文化的な遺伝子としての情報」に関しては以下の様な書籍が出版されている、「ミーム（ｍｅｍｅ）−心を操るウイルス（ＶＩＲＵＳ　ＯＦ　ＴＨＥ　ＭＩＮＤ，ＴｈｅＮｅｗ　Ｓｃｉｅｎｃｅ　ｏｆ　ｔｈｅｍｅｍｅ）Ｒｉｃｈａｒｄ　Ｂｒｏｄｉｅ、講談社、１９９８」、「ミーム力、とは？―ヒトからヒトへ広がる不思議なチカラ　：清水　修，　（２００１／１０／０１）　数研出版」、「ミーム・マシーンとしての私：スーザン　ブラックモア　（著），　　（２０００／０７／０１）　草思社」や、「ＴｈｅＥｌｅｃｔｒｉｃ　Ｍｅｍｅ　：　Ａ　Ｎｅｗ　Ｔｈｅｏｒｙ　ｏｆ　Ｈｏｗ　Ｗｅ　Ｔｈｉｎｋ　：Ｒｏｂｅｒｔ　Ａｕｎｇｅｒ　（著）　（２００２／０７）　Ｆｒｅｅ　Ｐｒｅｓｓ」「Ｖｉｒｕｓｏｆ　ｔｈｅ　Ｍｉｎｄ　：　Ｔｈｅ　Ｎｅｗ　Ｓｃｉｅｎｃｅ　ｏｆ　ｔｈｅ　Ｍｅｍｅ　：Ｒｉｃｈａｒｄ　Ｂｒｏｄｉｅ　（著）　　（１９９５／０９）　Ｉｎｔｅｇｒａｌ　Ｐｒｅｓｓ」などで言及されている。
【発明が解決しようとする課題】
【０００９】（ア）創作し選択した結果が正しかったかどうか？どの様な部分がどの様な消費者にとって効果的であったのか？或いは効果的でなかったのかを測定する事は困難だった。
【００１０】（イ）提供メディア・提供タイミング・提供場所などの選択は通常、広告を専門に行う広告代理店などが確保し価格を決定して、企業などが情報を提供したい対象に最も訴求効果のある情報提供手段を推奨することによって決定されていたが、広告主がその選択が正しいかどうかを知ることは困難だった、またメディアの対価と実際の広告効果のコストパフォーマンスを知ることは困難だった。。
【００１１】（ウ）宣伝広告を行った後に、その効果を測定するために、さらに広告の浸透度や内容や方法に関する消費者アンケートを行う方法は、コストがかさむ上にタイムラグも発生し、さらにアンケートの対象がその広告を見ていない場合やその広告が（の商品）対象ではない人々にアンケートを採ってしまう場合などもありもあった。
【００１２】（エ）消費者同士の口コミは、非常に費用対効果が高く、大きな影響を及ぼすと言われているが、情報提供者の情報を正確に伝達して行くことが困難で、口コミの情報伝達経路や効果を想定することはさらに困難だった。
【００１３】（オ）「文化的な遺伝子としての情報」及び「その伝播の状況」を把握することは産業上非常に重要だと考えられているが実現は非常に困難であった。
【００１４】しかし、これらの「文化的な遺伝子としての情報」及び「その伝播の状況」を把握することは、宣伝広告のみならず産業の様々な側面で重要な影響があると考えられている。つまり、消費者同士のコミュニケーションという、ほうっておいても次から次へと自らを広めていくチカラに目を向けると、なぜ流行は起きるのか、なぜ習慣は根付くのか、なぜ伝統はまもられるのか、これらの複雑な現実社会情報活動を定性的・さらには定量的に把握する可能性を開くことができるからである。
【００１５】上述したような課題を解決するために、本発明では宣伝や広告やＰＲなどの、情報提供の効果を実時間で定量的に測定することを可能にし、宣伝広告やＰＲを行うメディア・タイミング・場所などの情報提供方法、さらに情報提供の表現手段（コピーライト・キャラクター）などの効果測定をフィードバックすることによって企業などの情報提供者が、より費用対効果の高い情報提供方法、表現手段を選択することが出来るような情報処理システムを提供する。
【００１６】本発明では測定された効果による、広告価格の決定を可能にする様な情報処理システムを提供する。
【００１７】さらに、消費者同士の情報伝達を追跡し、情報伝達経路を測定できるような情報処理システムを提供する。
【００１８】
【課題を解決するための手段】
【００１９】上記の課題を解決するための手段として本発明ではまず、消費者が所持する情報端末に情報取得手段を設ける。
【００２０】情報端末の具体例としては、携帯電話、ＰＤＡ（パーソナルデーターアシスタント）、ウェアラブルコンピュター、車載コンピュターなどが考えられる。
情報端末が有する情報取得手段の具体例としては、小型メモリ接続手段や近距離無線通信手段や画像解析手段などが考えられる。
【００２１】さらに情報提供手段に、消費者が所持する情報端末との情報交換手段を設ける。
【００２２】情報提供手段の具体例としては、ポスターや看板や、画像表示装置など、電車やバス車内外の広告表示、などが考えられる。
情報提供手段に設ける消費者が所持する情報端末との情報交換手段の具体例としては小型メモリや、近距離無線通信手段や、画像解析に対応する画像などが考えられる。
【００２３】前述の消費者が所持する情報端末との情報交換手段を設けた情報提供装置と、情報取得手段を設けた消費者が所持する情報端末とが、情報交換を行うことによって、広告などの情報提供に関連する情報を、消費者が所持する情報端末によってネットワーク外に設置された情報提供手段からでも直接取得することが出来るようになる。
【００２４】情報提供装置から、消費者が所持する情報端末が情報を取得する度に、情報提供手段がその情報提供回数をカウントし、提供装置に備えられた記憶装置に記憶する。
【００２５】記憶された情報提供回数を、記憶読み出し装置或いは手段によって読み出し、多数の情報提供装置の情報提供回数を比較することによって、情報提供装置の情報提供効果を定量的に比較する事が可能になる。
【００２６】前述の記憶装置を情報提供装置の外に設置し情報提供装置と記憶装置をネットワークや通信によって接続する事も考えられる。
【００２７】この記憶装置が、多数の情報提供装置に接続され、個々の情報提供装置の情報提供回数カウントし記憶するようにする事で、実時間で多数の情報提供装置の情報提供回数を比較し、情報提供装置の情報提供効果を定量的に比較する事が可能になる。
【００２８】情報提供装置から、消費者が所持する情報端末によって取得する情報に、当該情報提供装置が提供している情報の関連情報やコンテンツ、または、さらに詳細な情報の存在する場所の情報、或いは情報提供装置で宣伝広告を行っている商品やサービスを購入する事の出来る手段を持つ装置への接続情報を付加する。
【００２９】当該情報提供装置が提供している情報の関連情報やコンテンツ情報の存在する場所の具体例としては、情報提供装置が提供している情報、例えば広告のキャラクターの待ち受け画面や着信メロディが存在するサーバー（ネットワークに接続された他の情報処理装置（クライアント）の情報処理要求を処理する情報処理装置）のＵＲＬ（インターネット上の企業の情報提供サーバーの存在場所を示す情報）や情報提供企業のＵＲＬなどである。
【００３０】さらに詳細な情報の存在する場所の具体例としては、情報提供企業のＵＲＬや、情報提供企業のＣＴＩ装置（コンピュターテレフォニーインテグレーテッド装置：電話とコンピュターとデーターベースを組み合わせた電話受付センター）の電話番号などである。
【００３１】情報提供装置で宣伝広告を行っている商品やサービスを購入する事の出来る手段を持つ装置への接続情報の例としては、ＥＣ（エレクトリックコマース）機能を有するサーバーのＵＲＬや、商品やサービス販売を行うＣＴＩ装置の電話番号などが考えられる。
【００３２】さらに、情報提供装置から、消費者が所持する情報端末によって取得する情報に、情報提供手段を識別する情報を接続情報に付加する。
【００３３】情報提供手段を識別する情報の具体例としては、情報提供装置（例えば看板や画像表示装置）のＩＤや、情報提供装置から情報端末が情報を取得した日時や、情報提供装置のコンテンツのＩＤや、情報提供装置が設置されている地点情報などが考えられる。
【００３４】情報提供装置から情報を取得した消費者の情報端末が、情報提供手段を識別する情報を付加された接続情報を基に情報提供企業のサーバーやＣＴＩ装置などに接続する。
当該被接続装置には、接続情報に含まれる情報提供手段を識別する情報を取得する手段を設けておく。
【００３５】当該被接続装置が、接続情報に含まれる情報提供手段を識別する情報を取得し、その識別情報毎の接続回数をカウントし、当該被接続装置の記憶装置に記憶しておく。
【００３６】被接続装置の記憶装置に記憶された情報提供装置毎（識別情報毎）の接続回数を比較することによって、情報提供装置の情報提供によって、当該情報提供装置で提供した情報に対しレスポンス（反応）をした消費者の数を比較することが出来る。
【００３７】ここでレスポンスの分類、及びレスポンスの比較のための量としては例えば、関連情報、関連コンテンツ、詳細情報などの取得回数、商品やサービスを購入した回数・売上金などが相当する。
【００３８】さらに各請求項の発明には以下のような特徴がある。
【００３９】本発明に関わる情報処理システムは、情報提供装置と、情報提供装置から情報を取得する手段を備える情報端末と、情報端末が情報提供装置から取得した情報をもとに接続する情報処理装置とで構成され、前記情報処理装置に接続してきた情報端末の属性情報を取得することを特徴とするものである。
【００４０】本発明に関わる情報処理システムは、情報提供装置から情報を取得する手段が、近距離無線通信インターフェイスを有する情報提供装置と近距離無線通信インターフェイスを有する情報端末の交信によるものである事を特徴としたものである。
【００４１】本発明に関わる情報処理システムは、情報提供装置から情報を取得する手段が、画像による情報表示手段を持つ情報提供装置と、撮像手段を有する情報端末と前記撮像した画像を情報処理し画像から情報を抽出する手段を組み合わせたものである事を特徴としたものである。
【００４２】本発明に関わる情報提供装置は、情報端末に情報を提供した回数を測定することが可能であることを特徴とするものである。
【００４３】本発明に関わる情報提供装置は、情報端末に情報を提供した回数を測定し、且つ情報提供効果を測定及び／又は比較できる事を特徴としたものである。
【００４４】本発明に関わる情報処理システムは、情報提供装置から情報端末に情報を提供した回数を測定し、且つ情報提供効果を測定及び／又は比較できる事を特徴としたものである。
【００４５】本発明に関わる情報提供装置は、情報端末に提供する情報に、当該情報提供装置の識別情報を付加する事を特徴としたものである。
【００４６】本発明に関わる情報処理システムは、情報処理装置が取得する属性情報に情報端末が情報を取得した情報提供装置の識別情報を含む事を特徴としたものである。
【００４７】本発明に関わる情報処理システムは、、取得した識別情報を記憶し比較することによって、情報提供の効果を測定できる事を特徴とするものである。
【００４８】本発明に関わる情報処理システムは、、前記情報処理装置が取得する属性情報に前記情報端末の識別情報を含む事を特徴としたものである。
【００４９】本発明に関わる情報処理システムは、、前記情報処理装置が取得する属性情報に前記情報端末の所持者に関わる個人情報を含む事を特徴としたものである。
【００５０】本発明に関わる情報処理方法は、情報端末用の情報処理手段と、前記情報端末用の情報処理手段を実行する手段を有する情報端末で構成され、前記情報端末が前記情報端末用の情報処理手段によって自動的に情報処理を実行することを特徴とするものである。
【００５１】本発明に関わる情報処理方法は、当該情報端末が、プログラム実行手段を有する他の情報端末に、当該プログラムを転送することを特徴とするものである。
【００５２】本発明に関わる情報処理方法は、情報処理装置及び情報端末がネットワークに接続手段を有し、情報端末がネットワーク経由で情報処理装置からプログラムを取得する事を特徴とするものである。
【００５３】本発明に関わる情報処理方法は、予めプログラムに記述された機能が、ネットワーク上の情報処理装置への接続であることを特徴とするものである。
【００５４】本発明に関わる情報処理システムは、前記情報処理装置が取得する属性情報に前記情報端末が情報を取得した経路情報を含む事を特徴としたものである。
【００５５】本発明に関わる情報処理システムは、取得した個人情報及び／又は情報端末が情報を取得した経路情報を記憶し処理することによって、情報提供の結果をマーケティングデーターとして活用する事を特徴とするものである。
【００５６】本発明に関わる情報端末は情報端末用の情報処理手段と、前記情報端末用の情報処理手段を実行する手段を有する情報端末で構成され、前記情報端末が前記情報端末用の情報処理手段によって自動的に情報処理を実行することを特徴とするものである。
【発明の実施の形態】
以下に、図を元に以下に本発明の実施の形態について説明する。
【００５７】ただし以下の説明はあくまでも本発明の実施の形態の一例であって、本発明の範囲を限定するものではない。
【００５８】また各図の中で同一符号は同一または相当する部分を示すので符号が重複する場合にはその説明は省略する。
【００５９】消費者が所持する情報端末が、ネットワーク外に設置された情報提供装置から情報を取得する方法について説明する。
【００６０】消費者が所持する情報端末の具体例としては、携帯電話、ＰＤＡ（パーソナルデーターアシスタント）、ウェアラブルコンピュター、車載コンピュターなどが考えられる。
【００６１】ネットワーク外に設置された情報提供手段の具体例としては、ポスターや看板や雑誌などの印刷物、画像表示装置など、電車やバス車内外の広告表示、などが考えられる。
【００６２】情報提供手段に設ける消費者が所持する情報端末との情報交換手段の具体例としては
【００６３】小型メモリや、近距離無線通信手段や、画像解析に対応する画像を利用する方法などが考えられる。
【００６４】具体例としては、宣伝広告をおこなう看板など、ネットワーク外に設置された情報提供手段に、記憶手段と記憶された内容を情報端末に送信することが出来る近距離無線通信手段を付与して、当該近距離無線通信インターフェイスに対応する近距離無線通信インターフェイスを有する情報端末と交信する方法。
【００６５】或いは宣伝広告を行う看板など、ネットワーク外に設置された情報提供手段に、当該宣伝広告に関連した情報を記憶した小型メモリ付加しておき、、携帯電話やＰＤＡとのシリアルポートや小型メモリの専用スロットなどを利用し、相互に接続することによって、情報交換を可能にする方法などが考えられる。
【００６６】また、、近距離無線通信インターフェイスを利用した情報交換手段以外の方法として画像による情報表示手段を持つ情報提供装置と、撮像手段を有する情報端末と、前記撮像した画像を情報処理し画像から情報を抽出する手段を組み合わせて、情報提供装置に表示された画像から情報を抽出して、情報端末が情報を取得する方法も考えられる。
【００６７】具体的には情報提供装置に表示された、印刷媒体や画像表示装置などの画像に表示された、「ｈｔｔｐ：／／」以降の文字列によって定義されるＵＲＬの文字列を抽出し、画像処理手段を用いてテキスト情報として取り込む手段や、画像として表示された１次元バーコードや２次元バーコードなどを読み込み、画像処理手段を用いてデーターを抽出する方法などが考えられる。
【００６８】画像処理による情報取得手段を利用した場合には、例えば雑誌などの宣伝広告ページに、前述した「ｈｔｔｐ：／／」以降の文字列によって定義されるＵＲＬの文字列や、画像として表示された１次元バーコードや２次元バーコードなどを印刷し、カメラなどの画像取り込み手段を有する情報端末で、前述した文字列やバーコードなどのデーターを含む画像を取り込み画像処理手段を用いてデーター成分を抽出し、このデーターを情報として処理する方法が考えられる。
【００６９】画像処理による文字列の取得に関しては特開２００２−２０７９５５や特開２００２−１８３６６１などによる提案がなされている。
【００７０】図１は近距離無線通信インターフェイスを利用してネットワーク外に設置された情報提供手段と消費者が所持する情報端末が情報交換を行う例を略示的に示したブロック図である。
【００７１】図１において、６は情報提供装置、６１０は情報提供装置の表示手段であり印刷物などを利用しての表示や液晶ディスプレイなどを利用した動画表示装置などが考えられる、６５０は情報提供装置の制御装置であり、８は近距離無線通信の送受信インターフェイスである。
【００７２】さらにＳ１は所持者が所持する情報端末であり、９１は情報端末のディスプレイ、９２は情報端末のメモリ、９８は情報端末の近距離無線通信の送受信インターフェイス、９９は情報端末の操作部である。
【００７３】また、図２は情報提供装置６の制御装置６５０を略示的にしめしたブロック図である。
【００７４】図２において、６５０は情報提供装置の制御装置、６１はＣＰＵ、６２はメモリ、６３は端末種別判断手段、６４は不発揮性記憶装置（ハードディス装置など）であり、情報提供回数カウント手段６４１、情報が蓄積されている、６６は識別情報付加手段である。
【００７５】６９はＩ／Ｏ装置、２は着脱式の記憶装置のインターフェイス（ＩＣカード等）であり、６４１は情報提供回数カウント手段である。
【００７６】６６の識別情報付加手段には、情報提供装置個々の識別情報が記憶されていて、宣伝広告内容に関連する情報と共に情報提供装置の識別情報を情報端末に送信する。
具体例として、宣伝広告内容に関連する情報が当該宣伝広告内容に関わる商品のホームページのＵＲＬであった場合には、当該商品のホームページのＵＲＬのパラメーターとして、情報提供装置の識別情報を付加する。
【００７７】情報提供装置の識別情報の具体例としては、情報提供装置（例えば看板や画像表示装置）の種別やユニークなＩＤナンバー、情報提供装置から情報端末が情報を取得した日時や、情報提供装置のコンテンツ（宣伝広告のカテゴリや内容）のＩＤや、情報提供装置が設置されている地点情報などが考えられる。
【００７８】近距離無線通信の送受信インターフェイスの具体例としては赤外線通信インターフェイスやＢｌｕｅｔｏｏｔｈ（ブルートゥース、電気通信、コンピューター、ネットワーク分野の世界主要メーカーが参加しているＢｌｕｅｔｏｏｔｈ　ＳＩＧという団体によって技術の標準化が進められている、．４ＧＨｚ帯の電波を使用した小電力データワイヤレス通信システム，ｈｔｔｐ：／／ｗｗｗ．ｂｌｕｅｔｏｏｔｈ．ｃｏｍ／）通信インターフェイスなどが考えられる。
【００７９】さらに具体的には、携帯電話やＰＤＡが対応している赤外線通信インターフェイスの通信規格として、ＩｒＤＡ（Ｉｎｆｒａｒｅｄ　Ｄａｔａ　Ａｓｓｏｃｉａｔｉｏｎ、１９９３年に設立された赤外線通信の標準化団体、及び当該団体が標準化した赤外線通信規格。ｗｗｗ．ｉｒｄａ．ｏｒｇ）や、ＩｒＤＡの中でも特に携帯電話で使われることを想定して作られた通信規格であるＩｒＭＣ（ＩｒＤＡＩｎｆｒａｒｅｄ　Ｍｏｂｉｌｅ　Ｃｏｍｍｕｎｉｃａｔｉｏｎ，　ｈｔｔｐ：／／ｗｗｗ．ｉｒｄａ．ｏｒｇ／ｓｔａｎｄａｒｄｓ／ｓｐｅｃｉｆｉｃａｔｉｏｎｓ．ａｓｐ）などが考えられる。
【００８０】図３はＩｒＤＡを利用して情報交換を行う際の通信シーケンスを略示的に示している。
【００８１】また近距離無線通信以外の手段を利用する情報取得の例として、画像を利用して情報端末が情報を取得出来るように、予め画像に情報提供装置のＩＤを埋め込んでおく方法が考えられる。
【００８２】具体的には例えば雑誌などの印刷物に提供する情報の関連情報としてＵＲＬを印刷する場合に、予めそのＵＲＬに当該雑誌のＩＤをパラメーターとして付加して印刷し、情報端末がこのＵＲＬが記述された画像を取得し、ＵＲＬを文字列データーとして取得すると、ＵＲＬに付与された当該雑誌のパラメーターも同時に抽出する様にする方法が考えられる。
【００８３】上述したように、情報提供装置から、消費者が所持する情報端末が宣伝広告などに関連する情報と、属性情報として情報を取得した情報提供装置の識別情報を取得する事が出来る。
【００８４】＜情報端末に情報を提供した回数を測定することが可能であることを特徴とする情報提供装置＞
【００８５】次に、情報提供装置のリーチ（情報到達回数）の取得及び、情報提供装置の効果比較を実現する方法について説明する。
【００８６】ネットワーク外に設置された情報提供装置６から、消費者が所持する情報端末が宣伝広告などに関連する情報を取得する度に、図２で示す情報提供装置の制御装置６５０が有する情報提供回数カウント手段６４１がその情報提供回数をカウントし、情報提供装置の制御装置６５０に備えられた記憶装置６４に記憶する。
【００８７】情報提供回数カウント手段６４１は、情報提供回数記憶手段をプログラムなどによって実装し情報提供装置の記憶装置６４に記憶させて機能させることもあり得る。
【００８８】情報提供回数カウント手段６４１は、当該情報提供装置から近距離無線通信などによって、消費者が持つ情報端末が情報を取得する毎にその回数をカウントし累積情報提供回数を記憶する。
【００８９】カウントする情報提供回数の基準としては、情報端末からのデーター受信ＯＫステータス（図３参照）を受信した際にカウントを行うことなどが考えられる。
【００９０】この時、同じ情報端末が何度も情報取得を行ったばあいなどによる重複取得をカウントしたくなければ、情報提供する情報端末のＭＡＣアドレスや、携帯電話等であれば携帯電話の電話番号などをＩＤとして取得し、重複する場合にはカウントしないようにするなどの方法で重複カウントを防ぐ事が考えられる。
【００９１】上述した方法によって、記憶された情報提供回数は、記憶装置６４に記憶し、ＩＣカード２などの外部装置を利用して読み出して、多数の情報提供装置の情報提供回数の記録を収集し、それぞれの情報提供回数を比較することによって、それぞれの情報提供装置が情報端末に情報を提供した回数を測定し、情報提供効果を定量的に比較する事が可能になる。
【００９２】また、それぞれの情報提供装置と情報処理装置をネットワークや通信によって接続し、自動的にそれぞれの情報提供装置の情報提供回数を測定し、情報提供効果を定量的に比較する事も考えられる。
【００９３】具体的には図４に示すように、情報提供装置６がネットワーク３００に接続し、ネットワーク上の情報処理装置３５０に接続され、情報提供回数をネットワーク上の情報処理装置に送信する。
【００９４】図２の情報提供回数記憶手段６４１がカウントして記憶装置６４に記憶した、情報提供回数は、Ｉ／Ｏ装置６９及びインターネット接続装置３１０及びインターネット３００などを経由し、ネットワーク上の情報処理装置３５０に送信される。
【００９５】このネットワーク上の情報処理装置３５０が、多数の情報提供装置に接続され、個々の情報提供装置の情報提供回数カウントし記憶するようにする事で、実時間に近い時間内に多数の情報提供装置の情報提供回数を比較し、情報提供装置の情報提供効果を定量的に比較する事が可能になる。
【００９６】＜情報端末に提供する情報に、情報提供装置の識別情報を付加する事を特徴とした情報提供装置＞
【００９７】上述してきたように、ネットワーク外に設置された情報提供装置から、消費者が所持する情報端末によって取得する情報に、当該情報提供装置の識別情報を付加することが考えられる。
【００９８】例えば、情報端末が「渋谷の町に設置された５番という識別ＩＤ」を持ち、Ａ旅行社の格安旅行券の宣伝広告を行う情報提供装置から、提供情報に関連する情報としてインターネット上で旅行券の購入が可能なホームページのＵＲＬを取得する場合には、例えば以下のような構成のＵＲＬを情報端末に送信する。
【００９９】ｈｔｔｐ：／／ｗｗｗ．Ａｔｒａｖｅｌ．ｃｏ．ｊｐ／ｋａｋｕｙａｓｕ／ｓｈｉｂｕｙａ５／
【０１００】この、パラメーターの内容はと、情報提供装置のＩＤが含まれている。
【０１０１】ｈｔｔｐ：／／ｗｗｗ．Ａｔｒａｖｅｌ．ｃｏ．ｊｐ／ｋａｋｕｙａｓｕ／ｓｈｉｂｕｙａ５／において、インターネット上で旅行券の購入が可能なホームページのパラメーターとしてはｈｔｔｐ：／／ｗｗｗ．Ａｔｒａｖｅｌ．ｃｏ．ｊｐ／ｋａｋｕｙａｓｕが相当する。
【０１０２】さらに情報提供装置の識別情報としてはｓｈｉｂｕｙａ５／が相当する。
上述してきたように、ネットワーク外に設置された情報提供装置から、消費者が所持する情報端末が情報を取得し、その取得情報をもとに例えば情報提供装置が宣伝広告している商品を販売しているホームページに接続して、商品を購入することなどが可能になる。
【０１０３】同様に情報提供装置から提供する関連情報をＵＲＬや電話番号などの接続先に関する情報にすれば、消費者が所持する情報端末が、提供されたＵＲＬや電話番号で記述された情報処理装置に接続することにより、さらに詳細な情報の存在する場所の情報、或いは情報提供装置で宣伝広告を行っている商品やサービスを購入する事が考えられる。
【０１０４】この時、当該情報提供装置が提供しているさらに詳細な情報の存在する場所の具体例としては、情報提供企業のＷｅｂサーバー装置のＵＲＬや、情報提供企業のＣＴＩ装置（コンピュターテレフォニーインテグレーテッド装置：電話とコンピュターとデーターベースを組み合わせた電話受付センター）の電話番号。
【０１０５】情報提供装置で宣伝広告を行っている商品やサービスを購入する事の出来る手段を持つ装置への接続情報の例としては、ＥＣ（エレクトリックコマース）機能を有するサーバーのＵＲＬや、商品やサービス販売を行うＣＴＩ装置の電話番号。
【０１０６】情報提供装置が提供している情報、例えば広告のキャラクターの待ち受け画面や着信メロディが存在するサーバー（ネットワークに接続された他の情報処理装置（クライアント）の情報処理要求を処理する情報処理装置）のＵＲＬ（インターネット上の企業の情報提供サーバーの存在場所を示す情報）や情報提供企業のＵＲＬなどにすることが考えられる。
【０１０７】次に、情報処理装置に接続してきた情報端末の属性情報を取得することを特徴とする情報処理システムの例として、情報提供装置の情報提供による宣伝広告などに対する、消費者の購買行動などのレスポンスによる情報提供の効果測定及び、情報提供装置の効果比較を行う情報処理システムについて説明する。
【０１０８】図５は上述した、情報端末に提供する情報に、情報提供装置の識別情報を付加する事を特徴とした情報提供装置による情報処理システムを略示的にを示したブロック図である。
【０１０９】３７０及び３７１は情報端末が情報提供装置または接続先の情報処理装置に接続するための通信手段であり、具体例としては携帯電話の基地局或いはホットスポットなどの無線中継装置、３７５及び３７６は携帯電話のあるいはホットスポットのゲートウェイサーバーである、携帯電話の基地局或いはホットスポットなどの無線中継装置である。３７０、３７１及び３７５、３７６は一体化する事も可能である。
【０１１０】情報提供装置６から情報を取得した消費者の情報端末ｓ１が、情報提供手段を識別する情報を付加された接続情報を基に情報提供企業のサーバーやＣＴＩ装置などの情報処理装置３５００に接続する。
【０１１１】情報処理装置３５００には、接続情報に含まれる情報提供手段を識別する情報を取得する手段を設けておく。
【０１１２】情報処理装置３５００が図示したようにインターネットのサーバーである場合には、ＵＲＬのパラメーターを識別情報として取得し、情報処理装置がＣＴＩ装置である場合には情報提供装置毎に異なる電話番号を送信する、或いは電話番号の後に識別番号を付与するなどの方法が考えられる。
【０１１３】情報処理装置３５００は、接続情報に含まれる情報提供手段を識別する情報を取得し、その識別情報毎の接続回数をカウントし、情報処理装置３５００の記憶装置（図示せず）に記憶しておく。
【０１１４】情報処理装置３５００の記憶装置（図示せず）に記憶された情報提供装置毎（識別情報毎）の接続回数を比較することによって、情報提供装置の情報提供によって、当該情報提供装置で提供した情報に対しレスポンス（反応）をした消費者の数を比較することが出来る。
【０１１５】ここでレスポンスの分類、及びレスポンスの比較のための量としては例えば、関連情報、関連コンテンツ、詳細情報などの取得回数、商品やサービスを購入した回数・売上金などが考えられる。
【０１１６】＜情報処理装置に接続してきた情報端末の属性情報を取得することを特徴とする情報処理システム＞
【０１１７】上述してきたような、情報提供装置及び情報処理システムを、総合的に示したのが図６の情報処理システムの略示的なブロック図である
【０１１８】図６の中で、３５００は本発明に関わる情報処理システムを集中的に管理する情報処理装置であり、３５１０は情報処理システムに関わる記録を集中的に管理するデーターベースである。
【０１１９】３５１から３５３はＡ社、Ｂ社、Ｃ社それぞれの情報提供者のＷｅｂ情報処理装置である。６Ａ、６Ｂ、６ＣはＡ社、Ｂ社、Ｃ社それぞれの情報提供者のための宣伝広告を行う情報提供装置である。
【０１２０】情報端末Ｓ１は、Ａ社の広告に設置された情報提供装置６Ａから、情報としてアクセス先パラメーターと情報提供装置の識別情報を受信する。
【０１２１】次に情報端末Ｓ１は、情報のアクセス先パラメーターである、情報処理装置３５００にアクセスする。
【０１２２】情報処理装置３５００は、情報端末Ｓ１のＩＤパラメーターを生成し、データーベース３５１０に登録する。
【０１２３】次に情報処理装置３５００は、情報端末Ｓ１の接続をＡ社の情報処理装置３５１へリダイレクトする。
【０１２４】情報伝達を集中的に管理する場合には、情報端末の最初のアクセス先が情報提供者の情報処理装置ではなく情報伝達を集中的に管理する事業者の情報処理装置３５００にする事により複数の情報提供を複合的に処理しアクセス情報を管理する情報処理システムを実現できる。
【０１２５】上述の場合、情報のパラメーターは例えば以下のような構造のＵＲＬになる。
【０１２６】ｈｔｔｐ：／／ｗｗｗ．ｋａｎｎｒｉ．ｃｏ．ｊｐ／Ａｔｒａｖｅｌ．ｃｏ．ｊｐ／ｋａｋｕｙａｓｕ／ｓｈｉｂｕｙａ５／
【０１２７】情報伝達手段を受信した、情報端末Ｓ１は最初に、情報伝達を集中的に管理する事業者の情報処理装置３５００にアクセスする。
【０１２８】アクセスを受けた情報処理装置３５００は、情報端末のＩＤパラメーターｓｈｉｂｕｙａ５／をデーターベース３５１０に記録した上で、Ａｔｒａｖｅｌ．ｃｏ．ｊｐ／へリダイレクトする。
【０１２９】このように情報を情報処理装置３５００及びデーターベース３５１０で一元管理することにより。マーケティングについての有用なデーターを得ることが出来る。
【０１３０】情報提供装置による広告の結果として、詳細情報へのアクセスや商品の購入が実現しているかについて客観的な測定と数値分析を行うことができるようになり、広告主や広告制作者の期待する宣伝広告などの情報提供装置が効果的に実現しているかを測定し分析を行う情報処理システムを実現する事が出来る。
【０１３１】＜情報端末間での情報伝達＞
【０１３２】また、情報端末Ｓ１から他の情報端末Ｓ２に、情報提供装置から取得した情報を転送することによって取得した情報を次々に伝達することが出来る。
【０１３３】図９は近距離無線通信インターフェイスを使用して取得した情報を他の情報端末に伝達する概念図である。
【０１３４】図１０はＩｒＤＡを利用して情報を伝達する際のシーケンス図である。
【０１３５】図１１は情報端末Ｓ１が情報提供装置から取得した（接続）情報を、他の情報端末Ｓ２に転送し、情報端末Ｓ２が転送された（接続）情報を用いて、ネットワーク上の情報処理装置３５００に接続する事を示した図である。
【０１３６】さらに図１２は総合的な情報処理システムにおいて情報端末Ｓ１が情報提供装置から取得した（接続）情報を、他の情報端末Ｓ２に転送し、情報端末Ｓ２が転送された（接続）情報を用いて、ネットワーク上の情報処理装置３５００に接続する事を示したブロック図である。
【０１３７】図１１や図１２に示したような情報処理システムでは、情報処理装置３５００が情報端末の識別情報や所有者の個人情報などを取得し、情報処理システムに関わる記録を集中的に管理するデーターベース３５１０に蓄積することで、情報端末の情報処理履歴から、情報端末を所持する個人の情報に対する嗜好を蓄積して分析したり、商品の購買履歴を蓄積し分析し、さらに興味を持ちそうな情報を推奨するなど産業上有用な効果をもたらすことが出来る。
【０１３８】＜消費者同士の情報伝達を追跡し、情報伝達経路を測定できるような情報処理システムを提供する＞
【０１３９】さらに、情報端末に情報端末用の情報処理手段を付与することで、消費者同士の情報伝達を追跡し、情報伝達経路を測定できるような情報処理システムを提供する事が出来る。
【０１４０】図７は情報端末用の情報処理手段５００が携帯電話のハードウェア９及びＯＳ９００などを利用して、情報端末が情報提供装置から情報を受信すると情報処理装置３５００に自動的に接続するようにするための構成を説明した図である。
【０１４１】具体的には、情報端末のメモリ９２にプログラムなどによって実装した情報端末用の情報処理手段を記憶させ、情報端末のＣＰＵ９３などのハードウェア上で動作させることで、情報提供装置からの情報受信と情報に記述された接続先の情報処理装置３５００への接続を情報端末用の情報処理手段に自動的に行わせる。
【０１４２】この情報端末用の情報処理手段を情報端末に配布する方法としては、予め情報端末に記憶させて販売する方法。ＩＣカードなどのブリッジメディアを利用して配布する方法。
【０１４３】さらに、図２に示すように情報提供装置の制御装置の記憶装置に記憶させ情報端末に送信する方法、または図８に示すようにネットワーク上の情報処理装置３５００に、予め情報端末用の情報処理手段を記憶させておき、情報端末が、情報提供装置から取得した接続情報を基にするなどして情報処理装置３５００に接続して情報端末用の情報処理手段を情報端末に取得する方法などが考えられる。
【０１４４】情報端末用の情報処理手段５００を利用することにより、消費者同士の情報伝達を追跡し、情報伝達経路を測定できるような情報処理システムを提供する事が出来る。
【０１４５】具体的には図２や、図８に示すように、情報端末用の情報処理手段５００の機能として情報端末パラメーター生成手段５５０を有するようにする。
【０１４６】情報端末パラメーター生成手段５５０は、情報端末固有の識別パラメーターを生成する。
【０１４７】例えば図１３に示すように、宣伝広告用に設置された「渋谷の５番」の情報提供装置であって、表示コンテンツが「Ａ旅行社の格安航空券でタレントＢを使用」している場合に、その情報提供装置一番始めに情報取得を行った情報端末には、情報端末用の情報処理手段を情報端末に配布する際に、接続先情報と共に情報端末のＩＤパラメー「ｓｈｉｂｕｙａ５／ｂ／０００１／」を送付する。
【０１４８】さらに、情報端末Ｓ１から他の情報端末Ｓ２に情報を伝達すると、情報端末用の情報処理手段５００は、新たに情報端末Ｓ２のＩＤパラメーター「ｓｈｉｂｕｙａ５／ｂ／０００１／１」を生成し、接続用情報に付加して送付する。
【０１４９】図１４は、情報提供装置から情報端末に送付するデーター、及び情報端末から他の情報端末にデーターを転送する際のデーターの構造を略示的に示したブロック図である。
【０１５０】以上の様に情報端末用の情報処理手段５００を利用すると、情報端末Ｓ１から情報を伝達された情報端末Ｓ２が、接続情報を用いて自動的に情報処理装置にアクセスしてくると、情報処理装置が情報端末同士の情報伝達経路を知ることが出来る。
【０１５１】具体的に、情報端末から接続された情報処理装置３５００は、情報端末の識別ＩＤを取得し、図１３のような情報伝達経路情報を生成し、データーベース３５１０に記憶する。
【０１５２】多くの情報端末のＩＤ及び情報伝達経路及び、各情報端末の情報処理履歴を蓄積することで、ある情報に関して興味を持つ或いはあるカテゴリーの商品の購入傾向が高い消費者集団を発見したり、情報伝達に関して大きな影響力を持つ消費者を発見することなどが可能になる。
【０１５３】さらに情報端末用の情報処理手段５００に、情報端末の記憶装置に記憶された個人情報を取得する機能を有するようにした場合には、図１５に示すように、個人情報を有する情報伝達経路を生成することが出来る。
【発明の効果】
【０１５４】上述したように、本発明では宣伝や広告やＰＲなどの、情報提供の効果を実時間で定量的に測定することを可能にし、宣伝広告やＰＲを行うメディア・タイミング・場所などの情報提供方法、さらに情報提供の表現手段（コピーライト・キャラクター）などの効果測定をフィードバックすることによって企業などの情報提供者が、より費用対効果の高い情報提供方法、表現手段を選択することが出来るような情報処理システムを提供する事が出来た。
【０１５５】本発明では測定された効果による、広告価格の決定を可能にする様な情報処理システムを提供する事が出来た。
【０１５６】さらに、消費者同士の情報伝達を追跡し、情報伝達経路を測定できるような情報処理システムを提供する事が出来た。
【図面の簡単な説明】
【図１】近距離無線通信インターフェイスを利用してネットワーク外に設置された情報提供手段と消費者が所持する情報端末が情報交換を行う例のブロック図
【図２】情報提供装置６の制御装置６５０のブロック図
【図３】ＩｒＤＡを利用して情報交換を行う際の通信シーケンス図
【図４】ネットワークに接続された情報提供装置と情報処理装置のブロック図
【図５】情報端末に提供する情報に、情報提供装置の識別情報を付加する事を特徴とした情報提供装置による情報処理システムのブロック図
【図６】総合的な情報処理システムのブロック図
【図７】情報端末用の情報処理手段を利用して、情報端末が、情報提供装置から情報を受信すると情報処理装置３５００に自動的に接続するようにするための構成を説明した図
【図８】ネットワーク上の情報処理装置３５００に、予め情報端末用の情報処理手段を記憶させておくことを示したブロック図
【図９】近距離無線通信インターフェイスを使用して取得した情報を他の情報端末に伝達する概念図
【図１０】ＩｒＤＡを利用して情報を伝達する際のシーケンス図
【図１１】情報端末Ｓ１が情報提供装置から取得した（接続）情報を、他の情報端末Ｓ２に転送し、情報端末Ｓ２が転送された（接続）情報を用いて、ネットワーク上の情報処理装置３５００に接続する事を示したブロック図
【図１２】総合的な情報処理システムにおいて情報端末Ｓ１が情報提供装置から取得した（接続）情報を、他の情報端末Ｓ２に転送し、情報端末Ｓ２が転送された（接続）情報を用いて、ネットワーク上の情報処理装置３５００に接続する事を示したブロック図
【図１３】情報伝達経路情報
【図１４】データーの構造を略示的に示したブロック図
【図１５】個人情報を含む情報伝達経路情報
【符号の説明】
３００はインターネットあるいは電話網などのネットワーク、
３５０は情報処理装置
３５００は情報処理装置
３５１０は情報処理システムに関わる記録を集中的に管理するデーターベース
３７０及び３７１は携帯電話の基地局或いはホットスポットなどの無線中継装置、
３７５及び３７６は携帯電話のあるいはホットスポットのゲートウェイサーバー、
Ｓ１、Ｓ２は所持者が所持する情報端末、
９１は情報端末のディスプレイ、
９２は情報端末のメモリ、
９３は情報端末のＣＰＵ、
９８は情報端末の近距離無線通信の送受信インターフェイス、
９９は情報端末の操作部、
６００はサーバー３５０の記憶装置、
５００は情報伝達手段、
５５０は情報伝達手段５００のパラメーター生成手段、
６は情報提供装置、
６１０は情報提供装置の表示手段、
６６０は情報提供装置の制御装置であり、
８は近距離無線通信の送受信インターフェイスである。
６５０は情報提供装置の制御装置、
６１はＣＰＵ、
６２はメモリ、
６３は端末種別判断手段、
６４は不発揮性記憶装置、
６６は装置ＩＤ付加モジュール、
６８は端末別コンテンツ変換装置、
６９はＩ／Ｏ装置、
２は着脱式の記憶装置のインターフェイス（ＩＣカード等）、
９は情報端末のハードウェア、
９００は情報端末の様々な動作を司るＯＳ（オペレーションシステム）、
９４０はＡＰＩ（アプリケーションプログラムインターフェイス）
、
９５０は情報伝達手段５００のＡＰＩ（アプリケーションプログラムインターフェイス）、
９１０は情報伝達手段５００のプログラム実行環境、
【図１】
2004086715.tif 000003
【図２】
2004086715.tif 000004
【図３】
2004086715.tif 000005
【図４】
2004086715.tif 000006
【図５】
2004086715.tif 000007
【図６】
2004086715.tif 000008
【図７】
2004086715.tif 000009
【図８】
2004086715.tif 000010
【図９】
2004086715.tif 000011
【図１０】
2004086715.tif 000012
【図１１】
2004086715.tif 000013
【図１２】
2004086715.tif 000014
【図１３】
2004086715.tif 000015
【図１４】
2004086715.tif 000016
【図１５】
2004086715.tif 000017